(57)【要約】【課題】洗浄消毒後、自動的に被洗浄消毒物及びトレーの外表面に付着した液滴を除去することができる構成を具備するトレーを提供する。【解決手段】内視鏡１０、リモコン８が収容されるトレー１１と、電力及び電気信号の供給により、トレー１１及び内視鏡１０、リモコン８に振動を付与し、洗浄消毒後のトレー１１及び内視鏡１０、リモコン８に付着した液滴を除去する振動モジュール５０と、を具備したことを特徴とする。【選択図】図４
2009148488.tif 000002
【特許請求の範囲】
【請求項１】
被洗浄消毒物が収容されるトレー本体と、
電力及び電気信号の供給により、前記トレー本体及び前記被洗浄消毒物に振動を付与し、洗浄消毒後の前記トレー本体及び前記被洗浄消毒物に付着した液滴を除去する振動モジュールと、
を具備したことを特徴とするトレー。
【請求項２】
被洗浄消毒物が収容されるトレーが洗浄消毒槽に収容自在な内視鏡洗浄消毒装置であって、
前記トレーに設けられた振動モジュールと、
前記トレーに設けられた、前記振動モジュールと電気的に接続された第１の電気コネクタと、
前記洗浄消毒槽に設けられた、前記洗浄消毒槽に前記トレーが収容された際、前記第１の電気コネクタに対し、電力と電気信号との少なくとも一方が送受信自在な第２の電気コネクタと、
前記第２の電気コネクタ及び前記第１の電気コネクタを介して、前記振動モジュールに対する電力の供給遮断用の前記電気信号を供給する制御部と、
を具備し、
前記振動モジュールは、前記電力及び前記電気信号の供給により、前記トレー本体及び前記被洗浄消毒物に振動を付与し、洗浄消毒後の前記トレー本体及び前記被洗浄消毒物に付着した液滴を、前記洗浄消毒槽に落下させて除去することを特徴とする内視鏡洗浄消毒装置。
【請求項３】
前記第１の電気コネクタ及び前記第２の電気コネクタは、前記電力及び前記電気信号が送受信自在な電気コネクタであり、
前記洗浄消毒槽に前記トレーが収容された際、前記第２の電気コネクタに対し前記第１の電気コネクタは水密的かつ電気的に接続され、前記第１の電気コネクタと前記第２の電気コネクタとの間で前記電力及び前記電気信号が送受信自在となることを特徴とする請求項２に記載の内視鏡洗浄消毒装置。
【請求項４】
前記第２の電気コネクタは、前記洗浄消毒槽の底部から起立して設けられており、
前記洗浄消毒槽に前記トレーが収容され、前記第２の電気コネクタに対し前記第１の電気コネクタが水密的かつ電気的に接続された際、前記トレーの底部は、前記洗浄消毒槽の底部に対し、前記洗浄消毒槽内において離間して位置することを特徴とする請求項３に記載の内視鏡洗浄消毒装置。
【請求項５】
前記第１の電気コネクタは、前記電力が送受信自在な第１のコイルと、前記電気信号が送受信自在な第１のアンテナとから構成されているとともに、前記第２の電気コネクタは、前記電力が送受信自在な第２のコイルと、前記電気信号が送受信自在な第２のアンテナとから構成されており、
前記洗浄消毒槽に前記トレーが収容された際、前記第１のコイルと前記第２のコイルとの間で、非接触で前記電力が送受信自在となり、前記第１のアンテナと前記第２のアンテナとの間で、非接触で前記電気信号が送受信自在となることを特徴とする請求項２に記載の内視鏡洗浄消毒装置。
【請求項６】
前記洗浄消毒槽の底部と前記トレーの底部との少なくとも一方に、突起部材が設けられており、
前記突起部材により、前記洗浄消毒槽に前記トレーが収容された際、前記トレーの底部は、前記洗浄消毒槽の底部に対し、前記洗浄消毒槽内において離間して位置することを特徴とする請求項５に記載の内視鏡洗浄消毒装置。
【発明の詳細な説明】
【技術分野】
【０００１】
本発明は、被洗浄消毒物が収容されるトレー、内視鏡洗浄消毒装置に関する。
【背景技術】
【０００２】
近年、内視鏡は、医療分野及び工業用分野において広く利用されている。医療分野において用いられる内視鏡は、細長い挿入部を体腔内に挿入することによって、体腔内の臓器を観察したり、必要に応じて内視鏡が具備する処置具の挿通チャンネル内に挿入した処置具を用いて各種処置をしたりすることができる。
【０００３】
医療分野の内視鏡は、特に検査及び治療を目的として体腔内に挿入されて使用されるものであるため、使用後、再度使用するためには洗浄消毒が必要となる。この使用済みの内視鏡を洗浄消毒する方法としては、例えば、内視鏡洗浄消毒装置（以下、単に洗浄消毒装置と称す）を用いて行う方法が周知である。
【０００４】
洗浄消毒装置を用いれば、内視鏡は、洗浄消毒装置の洗浄消毒槽内にセットされるのみで、内視鏡に対して、自動的に、洗浄、消毒、濯ぎ及び水切り等（以下、洗浄消毒工程と称す）を行うことができる。この際、内視鏡は、該内視鏡の外表面のみならず、内視鏡が内部に有する既知の送気送水管路、処置具挿通管路等の内視鏡管路内も洗浄消毒される。尚、洗浄消毒工程後は、内視鏡は、洗浄消毒槽から取り出され、水切り工程では除去できなかった外表面に付着した濯ぎ後の液滴が滅菌タオル等で拭き取られた後、所定に保管されるか、再度使用される。
【０００５】
このように、内視鏡が有する内視鏡管路及び外表面を洗浄消毒することができる洗浄消毒装置は、特許文献１に開示されている。
【０００６】
尚、洗浄消毒装置は、内視鏡のみならず、他の医療器具の洗浄消毒も行うことができる。以下、洗浄消毒装置によって洗浄消毒されるものを、被洗浄消毒物と称す。
【特許文献１】特開平１０−１１８０２１号公報
【発明の開示】
【発明が解決しようとする課題】
【０００７】
ところで、洗浄消毒装置を用いて、被洗浄消毒物、例えば内視鏡を洗浄消毒する際、内視鏡を専用のトレーに収容した後、トレーを洗浄消毒槽に収容することにより、内視鏡を洗浄消毒槽に収容する手法が周知である。
【０００８】
即ち、内視鏡を、洗浄消毒槽内において、トレーに収容したままでトレーとともに洗浄消毒する手法が周知である。このようにトレーを用いれば、作業者は、トレーを把持するのみで、洗浄消毒工程の前後において、洗浄消毒槽に対する細長な内視鏡の搬入性及び搬出性が向上する。
【０００９】
ところが、トレーを用いて洗浄消毒を行うと、洗浄消毒工程終了後、トレーを洗浄消毒槽から取り出し、拭き取り場所まで運搬する際、内視鏡及びトレーから、濯ぎ後、内視鏡及びトレーの外表面に付着している液滴が検査室の床に垂れてしまう場合があった。
【００１０】
よって、従来は、床への水垂れを防止するため、内視鏡が収容されたトレーを洗浄消毒槽から取り出す前に、洗浄消毒槽内で、内視鏡及びトレーの外表面を仮拭きしなければならず、大変煩雑であるといった問題があった。
【００１１】
本発明の目的は、上記問題点に鑑みてなされたものであり、洗浄消毒後、自動的に被洗浄消毒物及びトレーの外表面に付着した液滴を除去することができる構成を具備するトレー、内視鏡洗浄消毒装置を提供することにある。
【課題を解決するための手段】
【００１２】
上記目的を達成するため本発明によるトレーは、被洗浄消毒物が収容されるトレー本体と、電力及び電気信号の供給により、前記トレー本体及び前記被洗浄消毒物に振動を付与し、洗浄消毒後の前記トレー本体及び前記被洗浄消毒物に付着した液滴を除去する振動モジュールと、を具備したことを特徴とする。
【００１３】
また、本発明による内視鏡洗浄消毒装置は、被洗浄消毒物が収容されるトレーが洗浄消毒槽に収容自在な内視鏡洗浄消毒装置であって、前記トレーに設けられた振動モジュールと、前記トレーに設けられた、前記振動モジュールと電気的に接続された第１の電気コネクタと、前記洗浄消毒槽に設けられた、前記洗浄消毒槽に前記トレーが収容された際、前記第１の電気コネクタに対し、電力と電気信号との少なくとも一方が送受信自在な第２の電気コネクタと、前記第２の電気コネクタ及び前記第１の電気コネクタを介して、前記振動モジュールに対する電力の供給遮断用の前記電気信号を供給する制御部と、を具備し、前記振動モジュールは、前記電力及び前記電気信号の供給により、前記トレー本体及び前記被洗浄消毒物に振動を付与し、洗浄消毒後の前記トレー本体及び前記被洗浄消毒物に付着した液滴を、前記洗浄消毒槽に落下させて除去することを特徴とする。
【発明の効果】
【００１４】
本発明によれば、洗浄消毒後、自動的に被洗浄消毒物及びトレーの外表面に付着した液滴を除去することができる構成を具備するトレー、内視鏡洗浄消毒装置を提供することができる。
【発明を実施するための最良の形態】
【００１５】
以下、図面を参照して本発明の実施の形態を説明する。尚、以下に示す実施の形態においては、洗浄消毒装置によって洗浄消毒される被洗浄消毒物は、内視鏡と、該内視鏡操作用のリモコンとを例に挙げて説明する。
【００１６】
（第１実施の形態）
図１は、本実施の形態を示す洗浄消毒装置を示す斜視図、図２は、図１の洗浄消毒槽を、トップカバーを透視して概略的にみた洗浄消毒装置の上面図、図３は、図１の装置本体の洗浄消毒槽に対し、本実施の形態のトレーが収容自在な状態を概略的に示す斜視図、図４は、図２中のIV-IV線に沿う洗浄消毒槽の断面を、洗浄消毒槽にトレーが収容された状態で概略的に示す断面図である。
【００１７】
図１に示すように、洗浄消毒装置１は、装置本体２と、この装置本体２の上面に開閉自在なことにより、装置本体２が具備する洗浄消毒槽６の被洗浄消毒物の収容口６ｓを開閉自在な蓋体であるトップカバー３とにより主要部が構成されている。
【００１８】
装置本体２の外表面には、スタート指示、ストップ指示、各種工程表示、経過時間表示、洗浄消毒工程の設定、ユーザＩＤの設定等の各種操作を行える、表示機能付きの、例えばタッチパネルから構成された操作パネル４が配設されている。尚、操作パネル４は、トップカバー３に設けられていても構わない。
【００１９】
また、装置本体２の操作パネル４が設けられた外表面には、ユーザによって近付けられたＩＤカード２０内の識別情報（以下、ユーザＩＤと称す）を受信するアンテナ７が設けられている。尚、アンテナ７も、装置本体２の他の外表面の部位に設けられていても構わないし、トップカバー３に設けられていても構わない。
【００２０】
装置本体２の上部に、水道栓から延出されたホースが接続される図示しない給水口が設けられている。このことにより、洗浄消毒槽６には、濯ぎ水として利用される他、洗浄液及び消毒液を希釈するための水道水が、ホース及び給水口を介して水道栓から供給されるようになっている。
【００２１】
装置本体２の上面部には、図３に示すように、内視鏡１０や、該内視鏡１０操作用のリモコン８や、トレー本体であるトレー１１が収容される洗浄消毒槽６が形成されている。図２に示すように、洗浄消毒槽６は、内視鏡１０の操作部１０ｔの形状に合わせて形成された操作部載置部６ｍと、内視鏡１０の挿入部１０ｓの形状に合わせて形成された挿入部載置部６ｎと、リモコン８の形状に合わせて形成されたリモコン載置部６ｒとを具備している。
【００２２】
また、図２、図４に示すように、洗浄消毒槽６の底部６ｔの平面視した状態における略中央に、底部６ｔから起立する第２の電気コネクタ３０が設けられている。尚、第２の電気コネクタ３０が設けられる位置は、底部６ｔの平面視した状態における略中央の位置に限定されない。
【００２３】
また、洗浄消毒槽６に対して、内視鏡１０及びリモコン８を収容する際には、内視鏡１０及びリモコン８は、図３に示すように、洗浄消毒槽６に対する内視鏡１０及びリモコン８の搬入搬出性を高めるため、トレー１１に保持されて収容される。
【００２４】
トレー１１は、図２に示すように、トレー１１を洗浄消毒槽６に収容した際、該洗浄消毒槽６の操作部載置部６ｍ、挿入部載置部６ｎ、リモコン載置部６ｒにそれぞれ収容される、内視鏡１０の操作部１０ｔが載置される操作部載置部１１ｍと、内視鏡１０の挿入部１０ｓが巻回されて載置される挿入部載置部１１ｎと、リモコン８が載置されるリモコン載置部１１ｒとを具備して構成されている。
【００２５】
具体的には、図２、図４に示すように、平面視した状態で、トレー１１の外周及びリモコン載置部１１ｒを囲う位置に、高さ方向に突出する壁部１１ａを有するとともに、底部１１ｔを有して、トレー１１は構成されている。尚、図４は、図面を簡略化するため、トレー１１内に、内視鏡１０及びリモコン８が収容されていない状態で示している。
【００２６】
図４に示すように、トレー１１の底部１１ｔには、内視鏡１０やリモコン８を載置した状態で、該内視鏡１０やリモコン８が落ちない程度の開口１１ｈが形成されており、該開口１１ｈを介して、トレー１１内に各種流体が供給自在またはトレー１１外に排出自在となっている。
【００２７】
また、トレー１１の底部１１ｔの上面に、振動モジュール５０が設けられている。振動モジュール５０は、洗浄消毒の際、濡れることがないよう、外周面が樹脂等で覆われて形成されている。
【００２８】
振動モジュール５０は、後述する電力及び電気信号の供給により、トレー１１及び内視鏡１０、リモコン８に振動を付与して、洗浄消毒工程後のトレー１１及び内視鏡１０、リモコン８に付着した液滴を除去するものである。
【００２９】
さらに、図４に示すように、トレー１１の底部１１ｔに、振動モジュール５０にケーブル５１を介して電気的に接続された第１の電気コネクタ３５が設けられている。第１の電気コネクタ３５は、トレー１１が洗浄消毒槽６に収容された際、第２の電気コネクタ３０に対し電気的に接続され、第２の電気コネクタ３０から送信された、振動モジュール５０を駆動する電力及び振動モジュール５０に対する電力の供給遮断指示用の電気信号を受信するものである。即ち、第１の電気コネクタ３５と第２の電気コネクタ３０との間では、電力及び電気信号が送受信自在となっている。尚、第１の電気コネクタ３５に対し第２の電気コネクタ３０は、各コネクタ３０、３５に設けられたパッキン等の水密部材により水密的に接続される。
【００３０】
また、上述したように、第２の電気コネクタ３０は、洗浄消毒槽６の底部６ｔから起立して設けられていることから、第２の電気コネクタ３０に第１の電気コネクタ３５が電気的かつ水密的に接続された際、洗浄消毒槽６の底部６ｔに対し、トレー１１の底部１１ｔは、洗浄消毒槽６内において離間して位置する。
【００３１】
また、図２に示すように、トレー１１の操作部載置部１１ｍに、該操作部載置部１１ｍに載置された操作部１０ｔの位置を規制して、操作部１０ｔを位置決めする位置規制ガイド１３が、操作部載置部１１ｍの底部１１ｔの上面から起立して設けられている。
【００３２】
さらに、トレー１１のリモコン載置部１１ｒにも、該リモコン載置部１１ｒに載置されたリモコン８の位置を規制して、リモコン８を位置決めする位置規制ガイド１３が、リモコン載置部１１ｒの底部１１ｔの上面から起立して設けられている。
【００３３】
図２に示すように、トレー１１の底部１１ｔに、トレー１１に関する識別情報（以下、トレーＩＤと称す）を有するＩＤタグ１１ｐが設けられており、内視鏡１０の、例えば操作部１０ｔの底部に、内視鏡１０に関する識別情報（以下、スコープＩＤと称す）を有するＩＤタグ１０ｐが設けられているとともに、リモコン８の底部に、リモコン８に関する識別情報（以下、リモコンＩＤと称す）を有するＩＤタグ８ｐが設けられている。尚、ＩＤタグ１１ｐ、１０ｐ、８ｐは、例えばＲＦＩＤから構成されている。
【００３４】
また、図１に示すように、洗浄消毒槽６の挿入部載置部６ｎに、洗浄消毒槽６内に洗浄液、消毒液、濯ぎ水等の液体を供給する用の供給ノズル９が設けられている。供給ノズル９から、洗浄消毒槽６内に、水流を伴った液体が供給されることにより、洗浄消毒槽６内に収容された内視鏡１０及びリモコン８の外表面は洗浄消毒される。
【００３５】
さらに、洗浄消毒槽６の操作部載置部６ｍに、洗浄消毒槽６に載置された内視鏡１０の内部に具備された図示しない処置具挿通用管路や送気送水用管路等の各種内視鏡管路内を洗浄消毒するため、上述した液体を、内視鏡管路内に供給する図示しない液体供給部材や、処置具挿通用管路内を擦り洗いするため、処置具挿通用管路内に洗浄用ブラシを自動的に挿抜する図示しないブラシカセット等が設けられている。
【００３６】
また、図１、図２に示すように、装置本体２において、洗浄消毒槽６の底部６ｔに、アンテナ５が１つ設けられている。アンテナ５は、洗浄消毒槽６に、トレー１１、内視鏡１０、リモコン８が収容された際、内視鏡１０、リモコン８、トレー１１毎に設けられたＩＤタグ１０ｐ、８ｐ、１１ｐから、スコープＩＤ、リモコンＩＤ、トレーＩＤをそれぞれ読み取るものである。
【００３７】
装置本体２内に、洗浄消毒槽６へ液体等を循環させる、電磁弁、逆止弁等が介装された管路網、ポンプ、及びコンプレッサ（いずれも図示されず）等が配設されている。また、図１に示すように、装置本体２内には、上述した電磁弁、ポンプ、コンプレッサ等の電気部品を上記各種工程のプログラミングに従って駆動停止させるとともに、アンテナ５を介してスコープＩＤ、リモコンＩＤ、トレーＩＤを読み取る制御を行う制御部１００が配設されている。尚、液体は、装置本体２に配設された図示しない各種タンク内に貯留されている。
【００３８】
また、制御部１００は、電気的かつ水密的に接続された第１の電気コネクタ３５及び第２の電気コネクタ３０、ケーブル５１を介して振動モジュール５０に、上述した電気信号を供給する制御も行う。尚、その他の洗浄消毒装置１の構成は、周知であるため、その説明は省略する。
【００３９】
次に、このように構成された本実施の形態の作用について、上述した図１〜図４を用いて説明する。
【００４０】
尚、以下に示す作用は、洗浄消毒装置１において、洗浄消毒槽６内に対し内視鏡１０、リモコン８が収容されたトレー１１を収容して、内視鏡１０、リモコン８の洗浄消毒工程を行った後、内視鏡１０、リモコン８、トレー１１の外表面に付着した液滴を自動的に除去する作用について説明する。よって、その他の洗浄消毒装置１の作用は周知であるため、その説明は省略する。
【００４１】
先ず、内視鏡１０、リモコン８、トレー１１を、洗浄消毒装置１を用いて洗浄消毒する際は、ユーザは、内視鏡１０、リモコン８をトレー１１の挿入部載置部１１ｎ、操作部載置部１１ｍ、リモコン載置部１１ｒにそれぞれ収容する。この際、位置規制ガイド１３により、トレー１１内において、内視鏡１０の操作部１０ｔ及びリモコン８が位置決めされる。
【００４２】
次いで、図３に示すように、ユーザは、トレー１１を、洗浄消毒槽６に対し、挿入部載置部１１ｎが挿入部載置部６ｎに位置され、操作部載置部１１ｍが操作部載置部６ｍに位置され、リモコン載置部１１ｒがリモコン載置部６ｒに位置されるように収容する。
【００４３】
また、この際、ユーザは、トレー１１の底部１１ｔに設けられた第１の電気コネクタ３５を、洗浄消毒槽６の底部６ｔに設けられた第２の電気コネクタ３０に電気的に接続する。その結果、各コネクタ３０、３５に設けられた水密部材により、第２の電気コネクタ３０に対し、第１の電気コネクタ３５は、水密的かつ電気的に接続される。また、第２の電気コネクタ３０は、洗浄消毒槽６の底部６ｔから起立して設けられていることから、トレー１１の底部１１ｔは、洗浄消毒槽６の底部６ｔに対し離間して位置する。
【００４４】
その後、制御部１００により、アンテナ５を介して、内視鏡１０、トレー１１、リモコン８の各ＩＤタグ１０ｐ、１１ｐ、８ｐから、スコープＩＤ、トレーＩＤ、リモコンＩＤがそれぞれ読み取られる。
【００４５】
次いで、ユーザは、装置本体２に対し、トップカバー３を閉成し、ＩＤカード２０をアンテナ７に近付けることにより、アンテナ７にユーザＩＤを読み取らせた後、操作パネル４からスタートボタンをオンすると、洗浄消毒工程が開始される。
【００４６】
この際、トレー１１の底部１１ｔに設けられた開口１１ｈにより、トレー１１の内部にも各種液体が導入され、内視鏡１０、リモコン８の外表面は洗浄消毒される。尚、内視鏡１０が内部に具備する内視鏡管路内も洗浄消毒される。
【００４７】
洗浄消毒工程終了後、制御部１００は、第２の電気コネクタ３０、第１の電気コネクタ３５、ケーブル５１を介して振動モジュール５０に、電力の供給を指示する電気信号を供給する。
【００４８】
その結果、図示しない外部の電源から、第２の電気コネクタ３０、第１の電気コネクタ３５、ケーブル５１を介して振動モジュール５０に電力が供給され、振動モジュール５０は振動を開始する。
【００４９】
振動モジュール５０の振動は、トレー１１に付与されるとともに、トレー１１を介して内視鏡１０及びリモコン８にも付与される。その結果、内視鏡１０及びリモコン８の外表面に付着している濯ぎ後の液滴は、トレー１１内に落下した後、開口１１ｈから洗浄消毒槽６内に落下するとともに、トレー１１の外表面に付着している濯ぎ後の液滴も、洗浄消毒槽６に落下され、その後、洗浄消毒槽６の図示しない排液口から排液される。即ち、内視鏡１０、リモコン８、トレー１１の各外表面から液滴は除去される。
【００５０】
尚、この際、トレー１１の底部１１ｔは、洗浄消毒槽６の底部６ｔから離間して位置しているため、洗浄消毒槽６に落下した液滴が、再度トレー１１の底部１１ｔに付着してしまうことがない。
【００５１】
このように、本実施の形態においては、洗浄消毒後のトレー１１、内視鏡１０、リモコン８に振動を付与し、トレー１１、内視鏡１０、リモコン８の外表面に付着した濯ぎ後の液滴を除去する振動モジュール５０が、トレー１１に設けられていると示した。
【００５２】
このことによれば、洗浄消毒工程終了後、第２の電気コネクタ３０、第１の電気コネクタ３５、ケーブル５１を介して制御部１００から振動モジュール５０に電力の供給を指示する電気信号が供給されるとともに、図示しない外部電源から電力が供給されることにより、振動モジュール５０から、トレー１１、内視鏡１０、リモコン８に振動が付与され、トレー１１、内視鏡１０、リモコン８の外表面に付着した濯ぎ後の液滴が自動的に除去される。
【００５３】
よって、洗浄消毒工程終了後のトレー１１、内視鏡１０、リモコン８の外表面の除水性が向上するとともに、ユーザが、トレー１１、内視鏡１０、リモコン８の外表面の液滴を滅菌タオル等で拭き取る作業を行わなくても良くなる。
【００５４】
また、洗浄消毒工程終了後、洗浄消毒槽６からトレー１１を取り出した際、トレー１１、内視鏡１０、リモコン８から液滴が床等に垂れてしまうことを防止することができることから、作業環境の安全性を確保することができるとともに、作業場所を衛生的な環境とすることができる。
【００５５】
以上から、洗浄消毒後、自動的に内視鏡１０、リモコン８及びトレー１１の外表面に付着した液滴を除去することができる構成を具備するトレー１１、洗浄消毒装置１を提供することができる。
【００５６】
（第２実施の形態）
図５は、本実施の形態の洗浄消毒装置における洗浄消毒槽の断面を、洗浄消毒槽にトレーが収容された状態で概略的に示す断面図である。
【００５７】
この第２実施の形態のトレー、洗浄消毒装置１の構成は、上述した図１〜図４に示した第１実施の形態のトレー、洗浄消毒装置１と比して、第１の電気コネクタと第２の電気コネクタとの電気的な接続を、非接触で行う点が異なる。よって、この相違点のみを説明し、第１実施の形態と同様の構成には同じ符号を付し、その説明は省略する。
【００５８】
図５に示すように、本実施の形態における洗浄消毒装置１においては、トレー１１の底部１１ｔに、第１の電気コネクタを構成する第１のコイル１３５ａと、第１の電気コネクタを構成する第１のアンテナ１３５ｂとが設けられている。尚、第１のコイル１３５ａは、振動モジュール５０とケーブル５１ａで電気的に接続されており、第１のアンテナ１３５ｂは、振動モジュール５０とケーブル５１ｂで電気的に接続されている。
【００５９】
また、洗浄消毒槽６の底部６ｔに、第２の電気コネクタを構成する第２のコイル１３０ａと、第２の電気コネクタを構成する第２のアンテナ１３０ｂとが設けられている。
【００６０】
さらに、洗浄消毒槽６の底部６ｔの上面に、洗浄消毒槽６にトレー１１が収容された際、底部６ｔに対し底部１１ｔを離間して位置させる用の突起部材４０が設けられている。尚、突起部材４０は、底部１１ｔと一体的に形成されていても構わないし、別体で設けられていても構わない。さらに、突起部材４０は、トレー１１の底部１１ｔの底面に設けられていても構わない。この場合も底部１１ｔと一体に形成されていても構わないし、別体で設けられていても構わない。
【００６１】
第２のコイル１３０ａは、洗浄消毒槽６にトレー１１が収容され、突起部材４０により、底部６ｔに対し底部１１ｔが離間して位置した際、第１のコイル１３５ａに対し、図示しない外部電源より供給された電力を、電磁誘導により、非接触で送信するものである。
【００６２】
また、第２のアンテナ１３０ｂは、洗浄消毒槽６にトレー１１が収容され、突起部材４０により、底部６ｔに対し底部１１ｔが離間して位置した際、第１のアンテナ１３５ｂに対し、制御部１００から供給された上述した電気信号を、非接触で送信するものである。尚、その他の構成は、上述した第１実施の形態と同様であるため、その説明は省略する。
【００６３】
次に、このように構成された本実施の形態の作用について、上述した図５を用いて説明する。
【００６４】
尚、以下に示す作用においても、洗浄消毒装置において、洗浄消毒槽６内に対し内視鏡１０、リモコン８が収容されたトレー１１を収容して、内視鏡１０、リモコン８の洗浄消毒工程を行った後、内視鏡１０、リモコン８、トレー１１に付着した液滴を自動的に除去する作用について説明する。よって、その他の洗浄消毒装置の作用は周知であるため、その説明は省略する。
【００６５】
先ず、内視鏡１０、リモコン８を、トレー１１に上述した第１実施の形態に示したように収容した後、トレー１１を、上述した第１実施の形態に示したように洗浄消毒槽６に対し収容する。この際、洗浄消毒槽６の底部６ｔの上面に突起部材４０が設けられていることから、トレー１１の底部１１ｔは、洗浄消毒槽６の底部６ｔに対し離間して位置する。
【００６６】
その後、制御部１００により、上述した第１実施の形態に示したようにスコープＩＤ、トレーＩＤ、リモコンＩＤがそれぞれ読み取られた後、ユーザは、装置本体２に対し、トップカバー３を閉成し、上述した第１実施の形態に示したように、アンテナ７にユーザＩＤを読み取らせた後、操作パネル４からスタートボタンをオンすると、洗浄消毒工程が開始される。
【００６７】
洗浄消毒工程終了後、制御部１００は、第２のアンテナ１３０ｂ、第１のアンテナ１３５ｂ、ケーブル５１ｂを介して振動モジュール５０に、電力の供給を指示する電気信号を供給する。この際、第２のアンテナ１３０ｂから第１のアンテナ１３５ｂに電気信号が非接触で供給される。
【００６８】
その結果、図示しない外部の電源から、第２のコイル１３０ａ、第１のコイル１３５ａ、ケーブル５１ａを介して振動モジュール５０に電力が供給され、振動モジュール５０は振動を開始する。この際、第２のコイル１３０ａから第１のコイル１３５ａに電力が、電磁誘導により非接触で供給される。
【００６９】
振動モジュール５０の振動は、トレー１１に付与されるとともに、トレー１１を介して内視鏡１０及びリモコン８にも付与される。その結果、内視鏡１０及びリモコン８の外表面に付着している濯ぎ後の液滴は、トレー１１内に落下した後、開口１１ｈから洗浄消毒槽６内に落下するとともに、トレー１１の外表面に付着している濯ぎ後の液滴も、洗浄消毒槽６に落下され、その後、洗浄消毒槽６の図示しない排液口から排液される。
【００７０】
尚、この際、トレー１１の底部１１ｔは、突起部材４０により洗浄消毒槽６の底部６ｔから離間して位置しているため、洗浄消毒槽６に落下した液滴が、再度トレー１１の底部１１ｔに付着してしまうことがない。
【００７１】
このように、洗浄消毒装置１は、第２のアンテナ１３０ｂから第１のアンテナ１３５ｂに非接触で電気信号を供給するとともに、第２のコイル１３０ａから第１のコイル１３５ａに非接触で電力を供給する構成を有していたとしても、上述した第１実施形態と同様の効果を得ることができる。
【００７２】
（第３実施の形態）
図６は、本実施の形態の洗浄消毒装置の装置本体の洗浄消毒槽からトレーを取り出した状態を概略的に示す斜視図である。
【００７３】
この第３実施の形態のトレー、洗浄消毒装置の構成は、上述した図１〜図４に示した第１実施の形態のトレー、洗浄消毒装置、図５に示した第２の実施の形態のトレー、洗浄消毒装置と比して、トレーに振動モジュールを設けることなく、装置本体の洗浄消毒槽の収容口及び装置本体の上面に設けられた弾性部材により、トレー外表面の液滴の除去を行う点が異なる。よって、この相違点のみを説明し、第１実施の形態と同様の構成には同じ符号を付し、その説明は省略する。
【００７４】
図６に示すように、本実施の形態における洗浄消毒装置においては、装置本体２の洗浄消毒槽６の収容口６ｓにおける各内周面６ｉに、例えば平板状のゴムにより形成された第１の弾性部材７０がそれぞれ設けられている。
【００７５】
また、装置本体２の上面２ｊに、洗浄消毒槽６に対し傾斜した傾斜部６０ｋを有する、具体的には、三角形状を有する、例えばゴムにより形成された第２の弾性部材６０が、内周面６ｉの１辺に沿って設けられている。
【００７６】
次に、このように構成された本実施の形態の作用について、図６を用いて説明する。尚、以下に示す作用においては、洗浄消毒装置１において、洗浄消毒槽６内に対し内視鏡１０、リモコン８が収容されたトレー１１を収容して、内視鏡１０、リモコン８の洗浄消毒工程を行った後、トレー１１に付着した液滴を除去する作用について説明する。よって、その他の洗浄消毒装置１の作用は周知であるため、その説明は省略する。
【００７７】
先ず、洗浄消毒工程終了後、ユーザは、洗浄消毒槽６から、トレー１１を取り出す。この際、トレー１１の壁部１１ｇの外表面の側面に付着していた濯ぎ後の液滴は、各内周面６ｉに設けられた第１の弾性部材７０がトレー１１の壁部１１ｇの外表面の側面に接触することにより除去される。即ち、洗浄消毒槽６に落下する。
【００７８】
次いで、ユーザは、トレー１１の底部１１ｔにおける外表面の底面を、第２の弾性部材６０の頂部に接触させ、該頂部に対しトレー１１を摺動させる。その結果、底部１１ｔにおける外表面の底面に付着していた濯ぎ後の液滴は、第２の弾性部材６０が底部１１ｔの外表面の底面に接触することにより除去される。具体的には、第２の弾性部材６０は、洗浄消毒槽６に対し傾斜した形状を有していることから、液滴は、傾斜部６０ｋにより洗浄消毒槽６に落下する。
【００７９】
このように、本実施の形態においては、トレー１１の壁部１１ｇの外表面の側面に、洗浄消毒工程後付着した液滴は、洗浄消毒槽６からトレー１１を取り出す際に、第１の弾性部材７０により除去され、トレー１１の底部１１ｔの外表面の底面に、洗浄消毒工程後付着した液滴は、底面を、第２の弾性部材６０の頂部に接触させることにより除去されると示した。
【００８０】
このことによれば、上述した第１、第２の実施の形態のように、自動的に液滴を除去するとともに内視鏡１０、リモコン８の液滴を除去することはできないが、トレー１１の外表面に付着した液滴を確実に除去することができる。
【００８１】
よって、本実施の形態の構成は、上述した第１実施の形態または第２の実施の形態の構成とともに用いると、より確実に、洗浄消毒工程後の内視鏡１０、リモコン８、トレー１１の外表面に付着した液滴の除去を行うことができるといった効果を得られる。
【００８２】
尚、上述した第１及び第２実施の形態においては、被洗浄消毒物は、内視鏡１０、リモコン８を例に挙げて示したが、これに限らず、洗浄消毒装置１で洗浄消毒できるものであれば、他のものであっても良いことは勿論である。
【００８３】
また、本発明は以上述べた実施形態のみに限定されるものでなく、発明の要旨を脱しない範囲で種々変形可能である。
【００８４】
［付記］
以上詳述した如く、本発明の実施形態によれば、以下の如き構成を得ることができる。即ち、
（１）被洗浄消毒物が収容されるトレーを具備する内視鏡洗浄消毒装置であって、
装置本体に設けられた、前記トレーが収容自在な洗浄消毒槽と、
前記装置本体における前記洗浄消毒槽の前記トレーの収容口の内周面に設けられた第１の弾性部材と、
前記装置本体の上面に設けられた第２の弾性部材と、
を具備し、
洗浄消毒後、前記洗浄消毒槽から前記トレーを取り出した際、前記第１の弾性部材は、前記トレーの外表面の側面に接触して、該側面に付着した液滴を除去し、前記第２の弾性部材は、前記トレーの外表面の底面が接触されることにより、該底面に付着した液滴を除去することを特徴とする内視鏡洗浄消毒装置。
【００８５】
（２）前記第２の弾性部材は、前記洗浄消毒槽に対し傾斜した形状を有して形成されていることを特徴とする付記１に記載の内視鏡洗浄消毒装置。
【００８６】
ところで、洗浄消毒装置１における装置本体２において設けられる各種電気部品は、該各電気部品に対し洗浄消毒槽６や装置本体２内に設けられた周知の管路網から漏れた液体が触れてしまうことがないよう、洗浄消毒槽６や各種管路網が設けられる空間とは、別の空間に設けられるのが一般的である。
【００８７】
具体的には、装置本体２内に仕切り板を設けたり、各電気部品を装置本体２内において密閉された箱体の空間内に設けたりすることにより、各電気部品を洗浄消毒槽６や各種管路網が設けられる空間とは、物理的に別の空間に設ける構成が周知である。
【００８８】
しかしながら、経年劣化等により、管路や仕切り板、箱体に孔が空いてしまうと、例えば管路から漏れた液体が、電気部品が設けられた空間に進入して電気部品に触れてしまい、電気部品が故障してしまう場合があった。また、上述したように、液体の漏れは、装置本体２の内部において発生することから、ユーザは、液体の漏れを故障が発生するまで、認識し難いといった問題があった。
【００８９】
また、このような問題は、電気部品が設けられる空間の水密性を向上させる構成を装置本体２内に設ければ解決できるが、例えば、仕切り板を多く設けたり、電気部品を二重の箱体内に設けたりすれば解決できるが、この場合、管路網等を設ける装置本体２内のスペースが狭くなってしまう他、装置本体２内の構成が複雑になってしまうといった問題があった。
【００９０】
このような問題に鑑み、以下、液体の漏れが発生したとしても、電気部品が設けられた空間に液体が進入し電気部品が故障してしまうことを簡単な構成で防ぐことにより、安全性を確保できる洗浄消毒装置の構成を、図７に示す。図７は、本構成の洗浄消毒装置の装置本体の内部の構成を概略的に示す図である。
【００９１】
図７に示すように、本構成の装置本体２内は、仕切り板９８により、管路網や洗浄消毒槽が設けられる液体エリア１１１と、各種電気部品が設けられる電気エリア１１２とに分けられている。
【００９２】
液体エリア１１１において、仕切り板９８上に、液漏れセンサ８０が設けられている。また、液体エリア１１１に、コンプレッサ８１が設けられている。
【００９３】
電気エリア１１２に、回路保護箱８５が設けられており、回路保護箱８５の内部８５ｉに、圧力センサ９０と電池８６と制御回路８８とが設けられている。制御回路８８は、電池８６と、配線９５により電気的に接続されているとともに、配線８９により、液漏れセンサ８０と電気的に接続されている。また、制御回路８８は、配線８４により、外部電源接続用のインレット８３に設けられたサーキットブレーカ８２に電気的に接続されている。
【００９４】
また、電池８６は、操作パネル４と配線８７により電気的に接続されている。さらに、回路保護箱８５の内部８５ｉは、中途位置に弁９２が設けられた管路９１により、コンプレッサ８１に接続されている。
【００９５】
次に、このように構成された本構成の作用、効果について説明する。  
液体エリア１１１において、管路等からの液体の漏れが発生した際、液漏れセンサ８０が液体の漏れを検出すると、配線８９を介して液漏れセンサ８０から液漏れ情報が制御回路８８に送信される。
【００９６】
その後、制御回路８８は、配線８４を介して、サーキットブレーカ８２を遮断する制御を行うことにより外部電源からの電力の供給を遮断させ、洗浄消毒装置の電装系統を全てシャットアウトする。このことにより、仮に制御回路に液体が触れて制御回路が故障しまったとしても、電力の供給が遮断されているため、洗浄消毒装置の安全性を確保することができる。
【００９７】
また、この際、制御回路８８により、洗浄消毒装置の電装系統が全てシャットアウトされてしまったとしても、回路保護箱８５内に、電池８６が設けられていることから、配線９５を介した制御回路８８の駆動制御により、操作パネル４に、故障情報を表示することができる。
【００９８】
さらに、液漏れ情報が制御回路８８に入力された後、洗浄消毒装置の電装系統が全てシャットアウトされてしまったとしても、電池８６がコンプレッサ８１に電力を供給して、コンプレッサ８１を駆動することにより、弁９２を開成して管路９１を介して送気を行い、回路保護箱８５の内部８５ｉを加圧すれば、仮に回路保護箱８５に孔が空いていたとしても、加圧された空気が孔から漏れることから、回路保護箱８５外から内部８５ｉに液体が進入してしまうことを防止でき、制御回路８８が故障してしまうことを防止することができる。
【００９９】
尚、回路保護箱８５の内部８５ｉの圧力は、圧力センサ９０によって検知されるため、回路保護箱８５は、コンプレッサ８１からの過送気により、破裂してしまうことがない。また、コンプレッサ８１から送気される気体は、空気に限らず、二酸化炭素や不活性ガス等でも構わない。さらに、コンプレッサ８１は、装置本体２内に通常設けられているコンプレッサと兼用しても構わない。
【図面の簡単な説明】
【０１００】
【図１】第１実施の形態を示す洗浄消毒装置を示す斜視図。
【図２】図１の洗浄消毒槽を、トップカバーを透視して概略的にみた洗浄消毒装置の上面図。
【図３】図１の装置本体の洗浄消毒槽に対し、本実施の形態のトレーが収容自在な状態を概略的に示す斜視図。
【図４】図２中のIV-IV線に沿う洗浄消毒槽の断面を、洗浄消毒槽にトレーが収容された状態で概略的に示す断面図。
【図５】第２実施の形態の洗浄消毒装置における洗浄消毒槽の断面を、洗浄消毒槽にトレーが収容された状態で概略的に示す断面図。
【図６】第３実施の形態の洗浄消毒装置の装置本体の洗浄消毒槽からトレーを取り出した状態を概略的に示す斜視図。
【図７】本構成の洗浄消毒装置の装置本体の内部の構成を概略的に示す図。
【符号の説明】
【０１０１】
１…洗浄消毒装置（内視鏡洗浄消毒装置）
２…装置本体
２ｊ…上面
６…洗浄消毒槽
６ｉ…内周面
６ｓ…収容口
６ｔ…洗浄消毒槽の底部
８…リモコン（被洗浄消毒物）
１０…内視鏡（被洗浄消毒物）
１１…トレー（トレー本体）
１１ｔ…トレーの底部
３０…第２の電気コネクタ
３５…第１の電気コネクタ
４０…突起部材
５０…振動モジュール
６０…第２の弾性部材
７０…第１の弾性部材
１００…制御部
１３０ａ…第２のコイル（第２の電気コネクタ）
１３０ｂ…第２のアンテナ（第２の電気コネクタ）
１３５ａ…第１のコイル（第１の電気コネクタ）
１３５ｂ…第１のアンテナ（第１の電気コネクタ）
【図１】
2009148488.tif 000003
【図２】
2009148488.tif 000004
【図３】
2009148488.tif 000005
【図４】
2009148488.tif 000006
【図５】
2009148488.tif 000007
【図６】
2009148488.tif 000008
【図７】
2009148488.tif 000009